(57)【要約】【課題】可搬性に優れ、さらに太陽電池パネルの設置及び収納を容易ならしめることが可能な、新規かつ改良された太陽電池システムを提供する。【解決手段】太陽光の照射を受けて発電する太陽電池パネルと、所望の電力が得られる数の太陽電池パネルが該太陽電池パネルの受光面の裏面と所定の間隔を有して接着される第１のシートと、太陽電池パネルが接着された１以上の第１のシートが、該第１のシートに太陽電池パネルが接着された面の裏面に着脱可能に接着される第２のシートと、を備える、太陽電池システムが提供される。かかる構成を有する太陽電池システムは、可搬性に優れ、さらに太陽電池パネルの設置及び収納を容易ならしめることが可能となる。【選択図】図１
2011198924.tif 000002
【特許請求の範囲】
【請求項１】
太陽光の照射を受けて発電する太陽電池パネルと、
所望の電力が得られる数の前記太陽電池パネルが該太陽電池パネルの受光面の裏面と所定の間隔を有して接着される第１のシートと、
前記太陽電池パネルが接着された１以上の前記第１のシートが、該第１のシートに前記太陽電池パネルが接着された面の裏面に着脱可能に接着される第２のシートと、
を備える、太陽電池シート。
【請求項２】
前記太陽電池パネルは、前記第１のシートに同一の向きで接着される、請求項１に記載の太陽電池シート。
【請求項３】
前記第１のシートは、前記太陽電池パネルで発電した電力を供給するためのリード線及び前記太陽電池パネルと前記リード線とを結合するためのコネクタを前記太陽電池パネルが接着される面の反対側の面に通すためのコネクタ孔を備える、請求項１に記載の太陽電池シート。
【請求項４】
前記リード線は面ファスナーによって前記第１のシートの背面に固定される、請求項３に記載の太陽電池シート。
【請求項５】
前記太陽電池パネルの形状は、長方形であり、前記太陽電池パネルは、長辺の向きが前記第１のシートの長辺の向きと一致するように接着される、請求項１に記載の太陽電池シート。
【請求項６】
前記太陽電池パネルは、１枚の前記第１のシートに２枚接着され、前記第１のシートを前記太陽光パネル間の間隙部で折り重ねる際に、前記太陽電池パネル同士が正対し、かつ前記太陽電池パネルで発電した電力を供給するためのリード線を該太陽電池パネルと結合するコネクタ同士が重ならないように折り重ねられる間隙を有して前記第１のシートに接着される、請求項５に記載の太陽電池シート。
【請求項７】
前記太陽電池パネルの形状は、長方形であり、前記太陽電池パネルは、長辺の向きが前記第１のシートの長辺の向きと直交するように接着される、請求項１に記載の太陽電池システム。
【請求項８】
前記太陽電池パネルは、１枚の前記第１のシートに偶数枚接着され、長辺を前記偶数等分するように前記第１のシートを折り重ねた場合に位置が一致するように前記第１のシートに接着される、請求項７に記載の太陽電池シート。
【請求項９】
前記太陽電池パネルは、前記第１のシートの長辺と所定の角度を有して接着される、請求項１に記載の太陽電池シート。
【請求項１０】
前記太陽電池パネルは、前記第２のシートに接着される際に網目状に設置される、請求項１に記載の太陽電池シート。
【請求項１１】
前記太陽電池パネルの形状は、正方形である、請求項１に記載の太陽電池シート。
【請求項１２】
前記第１のシート及び前記第２のシートは、耐燃性を有するシートで形成される、請求項１に記載の太陽電池シート。
【請求項１３】
太陽光の照射を受けて発電する太陽電池パネルと、
所望の電力が得られる数の前記太陽電池パネルが該太陽電池パネルの受光面の裏面と所定の間隔を有して接着されるシートと、
を備える、太陽電池シート。
【発明の詳細な説明】
【技術分野】
【０００１】
本発明は、太陽電池シートに関する。
【背景技術】
【０００２】
地球温暖化対策として、二酸化炭素の排出量を削減するために、太陽光の照射を受けて発電する太陽電池パネルが広く普及していくことが考えられる。従来の太陽電池パネルは、太陽光の照射を受けやすい屋根の上に複数枚組み合わせることを前提とし、恒常的に設置することを目的に作られている。従って非常に重量が大きく、一度設置した太陽電池パネルの移動は容易でない。
【０００３】
従来の太陽電池パネルには、単独で電力の供給を受けるために用いられるという意味合いもあるが、既存の電力網からの電力の供給に加えて、補助的に電力の供給を受けるために用いられるという意味合いも強い。従って、従来の太陽電池パネルは電力網が既に張り巡らされている地域での使用が前提となっている。
【０００４】
このように、従来の太陽電池パネルは電力網が整備されている地域で主に使用されているが、今後は、電力網が整備されていない地域での発電のために、太陽電池パネルの需要が高まることが予想される。そのような地域では、例えば、太陽電池パネルが発電した電力をバッテリに一時的に蓄え、そのバッテリに蓄えられた電力を使用するという形態が考えられる。
【発明の概要】
【発明が解決しようとする課題】
【０００５】
電力網が整備されていない地域では、太陽電池パネルとバッテリとからなる太陽光発電システムを、移動しながら使用するという形態も考えられる。しかし上述したように、従来の太陽電池パネルは恒常的な設置が前提となっているため、移動しながらの使用に向いていないという問題があった。
【０００６】
持ち運び可能な太陽光発電装置の技術も開示されてはいるが（例えば特開２００６−２７８４６０号公報）、必要な電力を得るためには大量の太陽電池が必要となり、さらにその大量電池は効率良く収納できるような構造になっていることが望ましい。近年ではフレキシブルな薄膜太陽電池パネルの開発も進んでおり、かかる太陽電池パネルを用いた可搬性に優れた太陽光発電システムの開発が今後一層進むことが考えられ、その際には太陽電池パネルの収容性のみならず設置の容易性を向上させる必要がある。
【０００７】
そこで、本発明は、上記問題に鑑みてなされたものであり、本発明の目的とするところは、可搬性に優れ、さらに太陽電池パネルの設置及び収納を容易ならしめることが可能な、新規かつ改良された太陽電池シートを提供することにある。
【課題を解決するための手段】
【０００８】
上記課題を解決するために、本発明のある観点によれば、太陽光の照射を受けて発電する太陽電池パネルと、所望の電力が得られる数の前記太陽電池パネルが該太陽電池パネルの受光面の裏面と所定の間隔を有して接着される第１のシートと、前記太陽電池パネルが接着された１以上の前記第１のシートが、該第１のシートに前記太陽電池パネルが接着された面の裏面に着脱可能に接着される第２のシートと、を備える、太陽電池シートが提供される。
【０００９】
前記太陽電池パネルは、前記第１のシートに同一の向きで接着されていてもよい。
【００１０】
前記第１のシートは、前記太陽電池パネルで発電した電力を供給するためのリード線及び前記太陽電池パネルと前記リード線とを結合するためのコネクタを前記太陽電池パネルが接着される面の反対側の面に通すためのコネクタ孔を備えていてもよい。
【００１１】
前記リード線は面ファスナーによって前記第１のシートの背面に固定されていてもよい。
【００１２】
前記太陽電池パネルの形状は、長方形であり、前記太陽電池パネルは、長辺の向きが前記第１のシートの長辺の向きと一致するように接着されていてもよい。
【００１３】
前記太陽電池パネルは、１枚の前記第１のシートに２枚接着され、前記太陽電池パネル同士が正対し、かつ前記第１のシートを前記太陽光パネル間の間隙部で折り重ねた際に、前記太陽電池パネルで発電した電力を供給するためのリード線を該太陽電池パネルと結合するコネクタ同士が重ならないように折り重ねられる間隙を有して前記第１のシートに接着されていてもよい。
【００１４】
前記太陽電池パネルの形状は、長方形であり、前記太陽電池パネルは、長辺の向きが前記第１のシートの長辺の向きと直交するように接着されていてもよい。
【００１５】
前記太陽電池パネルは、１枚の前記第１のシートに偶数枚接着され、長辺を前記偶数等分するように前記第１のシートを折り重ねた場合に位置が一致するように前記第１のシートに接着されていてもよい。
【００１６】
前記太陽電池パネルは、前記第１のシートの長辺と所定の角度を有して接着されていてもよい。
【００１７】
前記太陽電池パネルは、前記第２のシートに接着される際に網目状に設置されていてもよい。
【００１８】
前記太陽電池パネルの形状は、正方形であってもよい。
【００１９】
前記第１のシート及び前記第２のシートは、耐燃性を有するシートで形成されていてもよい。
【００２０】
また、上記課題を解決するために、本発明の別の観点によれば、太陽光の照射を受けて発電する太陽電池パネルと、所望の電力が得られる数の前記太陽電池パネルが該太陽電池パネルの受光面の裏面と所定の間隔を有して接着されるシートと、を備える、太陽電池シートが提供される。
【発明の効果】
【００２１】
以上説明したように本発明によれば、可搬性に優れ、さらに太陽電池パネルの設置及び収納を容易ならしめることが可能な、新規かつ改良された太陽電池シートを提供することができる。
【図面の簡単な説明】
【００２２】
【図１】本発明の第１の実施形態にかかる太陽光発電システム１の構成を示す説明図である。
【図２】本発明の第１の実施形態にかかる太陽電池シート１００の構成を示す説明図である。
【図３】本発明の第１の実施形態にかかる太陽電池パネル１０３の構造を示す説明図である。
【図４Ａ】コネクタ１０４の形状を示す説明図である。
【図４Ｂ】コネクタ１０４の形状を示す説明図である。
【図５】本発明の第１の実施形態にかかる帯シート１０２の構成を示す説明図である。
【図６】帯シート１０２の裏面にリード線１０５、第１連結部１０６及び延長ケーブル１０７を固定させた状態の一例を示す説明図である。
【図７】リード線１０５を面ファスナー１１２によって帯シート１０２に固定させた状態を示す説明図である。
【図８】リード線１０５、第１連結部１０６及び延長ケーブル１０７を面ファスナー１１２によって帯シート１０２に固定させた状態を示す説明図である。
【図９】本発明の第１の実施形態にかかる本シート１０１の構成例を示す説明図である。
【図１０】本発明の第１の実施形態にかかる本シート１０１の構成例を示す説明図である。
【図１１】帯シート１０２が、本シート１０１に接着された状態の太陽電池シート１００を示す説明図である。
【図１２】太陽電池パネル１０３が接着された帯シート１０２を、長手方向の中央部で折り重ねた状態を示した説明図である。
【図１３】本発明の第２の実施形態にかかる太陽電池シート２００の構造を示す説明図である。
【図１４】本発明の第２の実施形態にかかる帯シート２０２の収納例を示す説明図である。
【図１５】本発明の第２の実施形態にかかる太陽電池パネル２０３とコネクタ２０４との接続を示す説明図である。
【図１６Ａ】太陽電池パネル２０３とコネクタ２０４との接続を示す説明図である。
【図１６Ｂ】太陽電池パネル２０３とコネクタ２０４との接続を示す説明図である。
【図１７】本発明の第２の実施形態にかかる太陽電池シート２００の設置例を示す説明図である。
【図１８】本発明の第３の実施形態にかかる太陽電池シート３００の構造を示す説明図である。
【図１９Ａ】本発明の第３の実施形態にかかる太陽電池シート３００における、太陽電池パネル３０３の帯シート３０２への接着形態を示す説明図である。
【図１９Ｂ】本発明の第３の実施形態にかかる太陽電池シート３００における、太陽電池パネル３０３の帯シート３０２への接着形態を示す説明図である。
【図１９Ｃ】本発明の第３の実施形態にかかる太陽電池シート３００における、太陽電池パネル３０３の帯シート３０２への接着形態を示す説明図である。
【発明を実施するための形態】
【００２３】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２４】
なお、説明は以下の順序で行うものとする。
＜１．第１の実施形態＞
［１−１．太陽光発電システムの構成］
［１−２．太陽電池シートの構成］
［１−３．太陽電池パネルの構成］
［１−４．帯シートの構成］
［１−５．本シートの構成例］
＜２．第２の実施形態＞
＜３．第３の実施形態＞
＜４．まとめ＞
【００２５】
＜１．第１の実施形態＞
［１−１．太陽光発電システムの構成］
まず、本発明の第１の実施形態にかかる太陽光発電システム１の構成について説明する。図１は、本発明の第１の実施形態にかかる太陽光発電システム１の構成を示す説明図である。図１に示した太陽光発電システム１は、太陽電池パネルの受光面に太陽光が照射されることによって発電された電力を、バッテリに蓄える構成を有するものである。以下、図１を用いて本発明の第１の実施形態にかかる太陽光発電システム１の構成について説明する。
【００２６】
図１に示したように、本発明の第１の実施形態にかかる太陽光発電システム１は、太陽光の照射を受けることにより発電する太陽電池シート１００と、太陽電池シート１００が発電した電力を蓄えるためのバッテリが設けられるバッテリボックス１０と、を含んで構成される。
【００２７】
太陽電池シート１００は、可搬性を高めるために、１枚のシート材（本シート）の上に、所望の電力を得るために必要な数の太陽電池パネルが設置されている構造となっている。当該太陽電池パネルは、シート材への着脱を容易にするために別のシート材に接着されている。この太陽電池パネルが接着されたシート材を、本シートの上に設置したり取り外したりすることで、太陽電池シート１００は可搬性が高められている。
【００２８】
［１−２．太陽電池シートの構成］
次に、本発明の第１の実施形態にかかる太陽電池シート１００の構成について説明する。図２は、本発明の第１の実施形態にかかる太陽電池シート１００の構成を示す説明図であり、太陽電池シート１００を上から見た状態を図示したものである。以下、図２を用いて本発明の第１の実施形態にかかる太陽電池シート１００の構成について説明する。
【００２９】
図２に示したように、本発明の第１の実施形態にかかる太陽電池シート１００は、本シート１０１と、帯シート１０２と、太陽電池パネル１０３と、コネクタ１０４と、リード線１０５と、第１連結部１０６と、延長ケーブル１０７と、第２連結部１０８と、第３連結部１０９と、支柱１１０と、連結ケーブル１２０と、を含んで構成される。
【００３０】
本シート１０１は、太陽電池パネル１０３が接着された帯シート１０２が設置されるシート材である。帯シート１０２は太陽電池パネル１０３が接着されるシート材であり、図２に示したように、本シート１０１に比べて小さく、そして細長く形成されている。太陽電池パネル１０３は、受光面の裏面が帯シート１０２に接着されている。なお、本シート１０１及び帯シート１０２は、耐燃性を有するシートで形成されていてもよい。具体的には、本シート１０１及び帯シート１０２は耐熱性を有するポリエステルターポリンで形成されていてもよい。
【００３１】
太陽電池パネル１０３は、太陽電池が敷設されたパネルであり、その太陽電池が太陽光の照射を受けることにより発電するものである。本実施形態にかかる太陽電池パネル１０３は、薄く、フレキシブルに形成されており、容易に曲げたり丸めたりすることができる。本実施形態では、１つの帯シート１０２に太陽電池パネル１０３は２つ直列に並んで接着される。
【００３２】
そして図２に示したように、本発明の第１の実施形態では、長方形の帯シート１０２に、同じく長方形の太陽電池パネル１０３を、長手方向が一致するように、すなわち帯シート１０２の長辺の向きと太陽電池パネル１０３の長辺の向きとが一致するように接着させている。図２に示したように、帯シート１０２の短辺の幅は太陽電池パネル１０３の短辺の幅より広く形成されているが、本発明はかかる例に限定されない。帯シート１０２の短辺の幅は、太陽電池パネル１０３の短辺の幅と同程度であってもよく、また太陽電池パネル１０３の短辺の幅より短くてもよい。更に、太陽電池パネル１０３の形状は長方形ではなく、正方形としたり、図２に示すような帯シート１０２１つに付き２枚の太陽電池パネルではなく、３枚や４枚としたりしても良い。
【００３３】
帯シート１０２と太陽電池パネル１０３とは、任意の接着手段で接着させることができるが、太陽電池パネル１０３が故障して交換しなければならない場合を考慮して、帯シート１０２に太陽電池パネル１０３を完全に固着させるのでは無く、例えば面ファスナーにより帯シート１０２と太陽電池パネル１０３とを接着させるようにしてもよい。
【００３４】
コネクタ１０４は、太陽電池パネル１０３が発電した電力をバッテリボックス１０へ供給するためのリード線１０５と太陽電池パネル１０３とを接続するためのものである。そして第１連結部１０６は、リード線１０５と、延長ケーブル１０７とを接続するためのコネクタである。さらに、第２連結部１０８は、延長ケーブル１０７と、連結ケーブル１２０とを接続するためのコネクタである。
【００３５】
なお、第１連結部１０６と第２連結部１０８とは、同一の構造を有するコネクタを用いてもよく、それぞれ異なる構造を有するコネクタを用いてもよい。また、図２に示したような延長ケーブル１０７を使用せず、リード線１０５を連結ケーブル１２０に直接繋げるようにしても良い。
【００３６】
支柱１１０は、本シート１０１を支えるためのものである。本発明においては、支柱１１０の構造は図２に示したものに限られないことは言うまでもないが、図２に示したように、本シート１０１から一部を延伸させるように支柱１１０を構成することで、当該延伸部により本シート１０１を回動可能に設置することができる。
【００３７】
後述するように、コネクタ１０４、リード線１０５、第１連結部１０６及び延長ケーブル１０７は、帯シート１０２の裏面に位置した状態で接着されるため、図２のように太陽電池シート１００を見た場合にはこれらは表面に現れることはない。しかし、図２では説明の便宜上、一部のコネクタ１０４、リード線１０５、第１連結部１０６及び延長ケーブル１０７の位置が分かるように、これらが帯シート１０２の表面に位置するように図示している。
【００３８】
［１−３．太陽電池パネルの構成］
次に、本発明の第１の実施形態にかかる太陽電池シート１００に接着される太陽電池パネル１０３の構造について説明する。
【００３９】
図３は、本発明の第１の実施形態にかかる太陽電池パネル１０３の構造を示す説明図であり、太陽電池パネル１０３を受光面の裏側、すなわち太陽電池１０３ａが敷設された面の反対側から見た状態を図示したものである。以下、図３を用いて本発明の第１の実施形態にかかる太陽電池パネル１０３の構造について説明する。
【００４０】
図３に示したように、太陽電池パネル１０３にはコネクタ１０４が設けられている。このコネクタ１０４は、太陽電池パネル１０３に敷設された太陽電池１０３ａが太陽光の照射を受けて発電した電力をリード線１０５へ出力するため、リード線１０５と太陽電池パネル１０３とを繋ぐためのものである。
【００４１】
図４Ａ及び図４Ｂは、コネクタ１０４の形状を示す説明図である。図４Ａは、コネクタ１０４を上部から見た状態を図示したものであり、図４Ｂは、コネクタ１０４を側面から見た状態を図示したものである。このように、コネクタ１０４は直方体の形状を有している。そして、図４Ａ及び図４Ｂに示したように、コネクタ１０４からは、リード線１０５がコネクタ１０４の上下左右それぞれの端から所定の距離だけ離隔して延伸している。もちろん、コネクタ１０４の形状は図４Ａ及び図４Ｂに示したものに限られないことは言うまでもない。
【００４２】
［１−４．帯シートの構成］
次に、太陽電池パネル１０３が接着される帯シート１０２の構成について説明する。図５は、本発明の第１の実施形態にかかる帯シート１０２の構成を示す説明図であり、帯シート１０２の平面形状を図示したものである。以下、図５を用いて本発明の第１の実施形態にかかる帯シート１０２の構成について説明する。
【００４３】
図５に示したように、太陽電池パネル１０３が接着される帯シート１０２は長方形の形状を有しており、本実施形態では、１枚の帯シート１０２は、２枚の太陽電池パネル１０３を接着出来るだけの大きさを有している。以下の説明では、帯シート１０２に太陽電池パネル１０３が接着される面を「表面」とし、反対の面を「裏面」と称する。
【００４４】
そして図５に示したように、本発明の第１の実施形態にかかる帯シート１０２には、４つのコネクタ孔１１１が設けられている。このコネクタ孔１１１は、帯シート１０２の表面に太陽電池パネル１０３を接着した際に、太陽電池パネル１０３の裏面に設けられたコネクタ１０４及びリード線１０５（図３参照）を、帯シート１０２の裏面に出すための孔である。従って、コネクタ孔１１１は、帯シート１０２の表面に太陽電池パネル１０３を接着した際に、太陽電池パネル１０３の裏面に設けられたコネクタ１０４の位置に対応するように設けられる。
【００４５】
このように帯シート１０２にコネクタ孔１１１を設けることで、帯シート１０２の裏面にコネクタ１０４及びリード線１０５を位置させることができる。帯シート１０２の裏面にコネクタ１０４及びリード線１０５を位置させることで、リード線１０５が帯シート１０２の表面に出ることが無くなり、太陽電池パネル１０３への太陽光の照射の妨げとなることを防ぐことができる。
【００４６】
リード線１０５は、面ファスナーを用いて帯シート１０２の裏面に固定させるようにしてもよい。図６は、帯シート１０２の裏面から見た状態を示したものであり、帯シート１０２の裏面にリード線１０５、第１連結部１０６及び延長ケーブル１０７を固定させた状態の一例を示す説明図である。
【００４７】
図６では、リード線１０５、第１連結部１０６及び延長ケーブル１０７を、面ファスナー１１２によって帯シート１０２の裏面に固定させた様子が図示されている。このように面ファスナー１１２でリード線１０５、第１連結部１０６及び延長ケーブル１０７を帯シート１０２の裏面に固定させることで、ケーブル同士が絡まることを防ぐことができ、太陽電池パネル１０３が接着された帯シート１０２を本シート１０１へ設置する際の煩わしさが無くなる。
【００４８】
なお面ファスナー１１２は、図６に示したように、コネクタ１０４の形状の違いに対応するためにコネクタ１０４の両側に予め用意していてもよい。
【００４９】
図７は、コネクタ１０４から延びているリード線１０５を面ファスナー１１２によって帯シート１０２に固定させた状態を示す説明図である。また図８は、リード線１０５、第１連結部１０６及び延長ケーブル１０７を面ファスナー１１２によって帯シート１０２に固定させた状態を示す説明図である。
【００５０】
このように面ファスナー１１２を用いてリード線１０５、第１連結部１０６及び延長ケーブル１０７を帯シート１０２の裏面に固定させることで上述したような効果が生じる。なお、図８に示したように、第１連結部１０６の固定に用いる面ファスナーの幅は、第１連結部１０６の全体を帯シート１０２の裏面に固定できるだけの幅を有していても良い。
【００５１】
［１−５．本シートの構成例］
次に、本発明の第１の実施形態にかかる本シート１０１の構成例について説明する。図９及び図１０は、本発明の第１の実施形態にかかる本シート１０１の構成例を示す説明図である。以下、図９及び図１０を用いて本発明の第１の実施形態にかかる本シート１０１の構成例について説明する。
【００５２】
図９には、太陽電池パネル１０３が接着されていない状態の帯シート１０２が本シート１０１に接着された状態と、太陽電池パネル１０３が接着されている状態の帯シート１０２が本シート１０１に接着された状態を示している。
【００５３】
図９及び図１０は、太陽電池パネル１０３が見える状態、すなわち表面から本シート１０１を見た状態を図示したものであるが、説明の便宜上、本来は帯シート１０２の裏面に固定されて表面からは見えないコネクタ１０４、リード線１０５、第１連結部１０６、延長ケーブル１０７、及びこれらを帯シート１０２の裏面に固定する面ファスナー１１２を、その位置関係が分かるように図示している。
【００５４】
また、図９及び図１０には、第２連結部１０８及び連結ケーブル１２０を本シート１０１の表面に固定させるための面ファスナー１１２についても図示している。図９及び図１０に示したように、第２連結部１０８及び連結ケーブル１２０を面ファスナー１１２によって本シート１０１の表面に固定させることで、太陽電池シート１００を屋外に設置した際に、第２連結部１０８及び連結ケーブル１２０が風にあおられて本シート１０１から外れたり、飛ばされたりすることを防ぐことができる。
【００５５】
本シート１０１と帯シート１０２とを接着させる接着手段については様々なものを用いることが出来るが、帯シート１０２は頻繁に本シート１０１から着脱されるものであるから、当該接着手段についても、帯シート１０２の本シート１０１からの着脱が容易となるようなものを用いることが望ましい。
【００５６】
図１０には、当該接着手段として面ファスナー１１２が図示されている。この面ファスナー１１２を本シート１０１と帯シート１０２との双方に設けることで、帯シート１０２の本シート１０１からの着脱が容易になる。
【００５７】
本シート１０１は、図１に示したように支柱で支えるように設置されてもよいが、地面に直接設置されてもよい。従って、本シート１０１には、図９に示したように、地面に設置するためのスルーホール１１３を設けても良い。このスルーホール１１３には、それぞれ鳩目が設けられていても良い。本シート１０１にスルーホール１１３を設けることで、スルーホール１１３にペグ等の固定部材を打ち付けて、本シート１０１を地面に固定させることができる。
【００５８】
なお、図９には、本シート１０１を地面に固定させるために、本シート１０１にスルーホール１１３を設ける構成としたが、本発明は係る例に限定されない。例えば、本シート１０１を地面に固定させる上記固定部材を打ち付けるために、紐状のものを輪にしたもの（ペグループ）を本シート１０１の各辺に設けても良い。
【００５９】
図１１は、５枚の帯シート１０２が、本シート１０１に接着された状態の太陽電池シート１００を示す説明図である。図１１には、本シート１０１を支えるための支柱１１０、並びに図２等に示した第２連結部１０８及び連結ケーブル１２０を本シート１０１に固定させるための複数の面ファスナー１１２も図示している。なお、図１１は、説明の便宜上、帯シート１０２には太陽電池パネル１０３が接着されていない状態で図示している。
【００６０】
図１２は、太陽電池パネル１０３が接着された帯シート１０２を、長辺（長手方向）の中央部で折り折り重ねた状態を示した説明図である。本実施形態においては、２枚の太陽電池パネル１０３を帯シート１０２に接着した場合について示しており、その接着例は例えば図９及び図１０に示したようなものである。
【００６１】
ここで、太陽電池パネル１０３は、折り重ねる折り目部分に対し略対称となるように帯シート１０２に接着されている。なお、本本実施形態では２枚の太陽電池パネル１０３を用いた例を示しているが、偶数枚の太陽電池パネルを１つの帯シート１０２に接着させても良い。偶数枚の太陽電池パネルを１つの帯シート１０２に接着させる場合、隣り合う太陽電池パネル１０３間の間隙部で折り重ねるようにすることで、概ね太陽電池パネルサイズに折りたたむことが出来る。
【００６２】
なお、太陽電池パネル１０３よりもコネクタ１０４が厚い場合には、２枚の太陽電池パネル１０３が接着された帯シート１０２を折り重ねる際には、コネクタ１０４が重ならないように、太陽電池パネル１０３間の間隙部で折り重ねることが望ましい。
【００６３】
このように太陽電池パネル１０３が接着された帯シート１０２を長手方向の中央部や太陽電池パネル１０３間の間隙部で折り重ねることで、この太陽電池パネル１０３が接着された帯シート１０２を、限られた空間で効率良く収納することができるようになる。
【００６４】
上述したように、太陽電池パネル１０３はフレキシブルに形成されているので、収納スペースの観点から言えば、太陽電池パネル１０３が接着された帯シート１０２を長辺方向に丸めることで限られた空間で効率良く収納することができるが、帯シート１０２を丸めた状態で長時間収納しておくと、丸めることによるクセが帯シート１０２及び太陽電池パネル１０３に付いてしまう。従って、丸めて収納された帯シート１０２を広げると、接着されている太陽電池パネル１０３も丸まってしまい、太陽電池パネル１０３が平面状に戻るまでは太陽光の照射を受光面全体で効率良く受けられず、太陽電池パネル１０３による太陽光発電が効率良く行えないという問題が生じる。
【００６５】
一方、太陽電池パネル１０３が接着された帯シート１０２を長手方向の中央部で折り重ねた状態で収納すると、上述したような問題は生じない。すなわち、収納されていた帯シート１０２を広げても、太陽電池パネル１０３は平面状態が保たれているので、帯シート１０２を本シート１０１に設置した後すぐに太陽光の照射を受光面全体で効率良く受けられ、太陽電池パネル１０３による太陽光発電が効率良く行える。
【００６６】
このように太陽電池シート１００を形成することで、本発明の第１の実施形態にかかる太陽電池シート１００は、太陽電池パネル１０３への太陽光の照射による発電を可能にすると共に、太陽電池パネル１０３が接着された帯シート１０２を容易に本シート１０１から着脱でき、可搬性を高めることができる。
【００６７】
以上説明したように、本発明の第１の実施形態によれば、２枚の太陽電池パネル１０３を接着させた帯シート１０２を、本シート１０１に接着させることで、屋外で電力が必要で場所において、太陽光の照射による発電が可能な太陽電池シート１００を構成することができる。
【００６８】
本発明の第１の実施形態にかかる太陽電池シート１００は、主に、太陽電池パネル１０３を接着した帯シート１０２と、帯シート１０２が接着される本シート１０１とからなる。かかる構造を有することにより、太陽電池シート１００を屋外で設置する際の利便性が向上する。本発明の第１の実施形態では、長方形の帯シート１０２に、同じく長方形の太陽電池パネル１０３を、長手方向が一致するように接着させた。また、太陽電池パネル１０３は、帯シート１０２を長手方向の中央部で折り重ねることができるように、帯シート１０２に接着される。かかる構造により、太陽電池パネル１０３が接着された帯シート１０２の可搬性を向上させることが出来る。
【００６９】
太陽電池パネル１０３を帯シート１０２に接着させる際には、コネクタ１０４及びリード線１０５が帯シート１０２の表面に露出しないように、帯シート１０２に設けたコネクタ孔１１１にコネクタ１０４及びリード線１０５を通して、コネクタ１０４及びリード線１０５を帯シート１０２の裏面に位置させる。このようにコネクタ１０４及びリード線１０５を帯シート１０２の裏面に位置させることで、コネクタ１０４及びリード線１０５が帯シート１０２の表面に露出せず、コネクタ１０４及びリード線１０５が太陽電池パネル１０３への太陽光の照射の妨げにならないように、太陽電池パネル１０３を帯シート１０２に接着させることができる。
【００７０】
コネクタ１０４、リード線１０５、第１連結部１０６、延長ケーブル１０７を帯シート１０２の裏面に固定させるには、メンテナンス性を高めるために着脱が容易な手段を用いて固定させることが望ましく、例えば上述したように面ファスナー１１２を用いることが望ましい。また、本シート１０１と帯シート１０２との間の接着についても、着脱が容易となる接着手段、例えば上述したような面ファスナー１１２を用いて接着させることが望ましい。
【００７１】
＜２．第２の実施形態＞
上述した本発明の第１の実施形態では、長方形の帯シート１０２に、同じく長方形の太陽電池パネル１０３を、長手方向が一致するように接着させた太陽電池シート１００について説明した。
【００７２】
本発明においては、帯シートへの太陽電池パネルの接着は係る例に限定されない。本発明の第２の実施形態では、長方形の帯シートに、同じく長方形の太陽電池パネルを、それぞれの長手方向が垂直となるように接着させた太陽電池シートについて説明する。
【００７３】
図１３は、本発明の第２の実施形態にかかる太陽電池シート２００の構造を示す説明図である。以下、図１３を用いて本発明の第２の実施形態にかかる太陽電池シート２００の構造について説明する。
【００７４】
図１３に示したように、本発明の第２の実施形態にかかる太陽電池シート２００は、本シート２０１と、帯シート２０２と、太陽電池パネル２０３と、を含んで構成される。
【００７５】
本シート２０１は、本発明の第１の実施形態に係る太陽電池シート１００における本シート１０１と同様に、太陽電池パネル２０３が接着された帯シート２０２が設置されるシート材である。帯シート２０２は、本発明の第１の実施形態に係る太陽電池シート１００における帯シート１０２と同様に、太陽電池パネル２０３が接着されるシート材であり、図１３に示したように、本シート２０１に比べて小さく、そして細長く形成されている。
【００７６】
太陽電池パネル２０３は、本発明の第１の実施形態に係る太陽電池シート１００における太陽電池パネル１０３と同様に、太陽電池が敷設されたパネルであり、その太陽電池が太陽光の照射を受けることにより発電するものである。本実施形態では、１つの帯シート２０２に太陽電池パネル２０３は４つ直列に並んで接着される。そして図１３に示したように、本発明の第２の実施形態では、長方形の帯シート２０２に、同じく長方形の太陽電池パネル２０３を、長手方向が直交するように接着させている。
【００７７】
図１３に示した本発明の第２の実施形態にかかる太陽電池シート２００は、本シート２０１に５枚の帯シート２０２が接着されているが、本発明においては、本シートに接着させる帯シートの枚数は係る例に限定されないことは言うまでもない。
【００７８】
次に、本発明の第２の実施形態にかかる帯シート２０２の収納例について説明する。図１４は、本発明の第２の実施形態にかかる帯シート２０２の収納例を示す説明図である。
【００７９】
上述したように、１枚の帯シート２０２には４枚の太陽電池パネル２０３が接着されている。この４枚の太陽電池パネル２０３は、帯シート２０２を長手方向で２回折り合わせた場合に重なり合うような位置に帯シート２０２に接着される。従って、帯シート２０２を折り畳んで収納する際には、図１４の右側に示したように、４枚の太陽電池パネル２０３が１箇所重なった状態となる。
【００８０】
このように太陽電池パネル２０３を帯シート２０２に接着させることで、太陽電池パネル２０３が接着された帯シート２０２の収納性及び可搬性を高めることができる。
【００８１】
次に、本発明の第２の実施形態にかかる太陽電池パネル２０３とコネクタとの接続について説明する。図１５は、本発明の第２の実施形態にかかる太陽電池パネル２０３とコネクタ２０４との接続を示す説明図である。なお、コネクタ２０４は、太陽電池パネル２０３が発電した電力をバッテリボックス１０へ供給するためのリード線２０５と太陽電池パネル２０３とを接続するためのものである。
【００８２】
図１５に示したように、帯シート２０２には８つのコネクタ孔２１１が設けられている。このコネクタ孔２１１は、リード線２０５を帯シート２０２の裏面に通すためものであり、コネクタ２０４の形状に合わせた大きさで帯シート２０２に設けられる。
【００８３】
このようなコネクタ孔２１１を帯シート２０２に設け、コネクタ２０４及びリード線２０５を帯シート２０２の裏面で固定させることができる。
【００８４】
次に、太陽電池パネル２０３とコネクタ２０４との接続構造について説明する。図１６Ａ及び図１６Ｂは、太陽電池パネル２０３とコネクタ２０４との接続構造を示す説明図である。
【００８５】
図１６Ａ及び図１６Ｂに示したように、本実施形態においては、太陽電池パネル２０３の端部中央部分にコネクタ２０４を接着させる。太陽電池パネル２０３とコネクタ２０４とを接着させる際には、太陽電池パネル２０３の端部から延びている配線２０３ａとリード線２０５とがコネクタ２０４の内部で接続されるように、コネクタ２０４を太陽電池パネル２０３に接着する。配線２０３ａとリード線２０５とは半田付けで接続されるようにしてもよい。
【００８６】
なお、コネクタ２０４やリード線２０５の帯シート２０２への固定は、上述した本発明の第１の実施形態同様に、面ファスナーを用いてもよい。
【００８７】
次に、本発明の第２の実施形態にかかる太陽電池シート２００の設置例について説明する。図１７は、本発明の第２の実施形態にかかる太陽電池シート２００の設置例を示す説明図である。
【００８８】
本発明の第２の実施形態にかかる太陽電池シート２００は、例えば支柱２１０に固定して設置される。図１７に示したような支柱２１０に固定された太陽電池シート２００は、支柱２１０の軸を中心に回動させることができる。これにより、太陽の動きに合わせて太陽電池シート２００の向きを変えて、太陽光を効率良く太陽電池シート２００に照射させることができる。
【００８９】
もちろん、上述の本発明の第１の実施形態で説明したように、本発明の第２の実施形態にかかる太陽電池シート２００は、本シート２０１にスルーホールを設けてもよい。本シート２０１にスルーホールを設け、そのスルーホールにペグ等の固定手段を打ち付けることで、太陽電池シート２００を地面に固定させることができる。
【００９０】
以上説明したように本発明の第２の実施形態によれば、長方形の帯シート２０２に、同じく長方形の太陽電池パネル２０３を、それぞれの長手方向が垂直となるように接着させた太陽電池シート２００を得ることができる。
【００９１】
本実施形態では、１枚の帯シート２０２には４枚の太陽電池パネル２０３が接着されている。この４枚の太陽電池パネル２０３は、図１４の左側に示したように、帯シート２０２を長手方向で２回折り合わせた場合に重なり合うような位置に帯シート２０２に接着される。従って、帯シート２０２を収納する際には、図１４の右側に示したように、４枚の太陽電池パネル２０３が１箇所重なった状態となる。このように太陽電池パネル２０３を帯シート２０２に接着させることで、太陽電池パネル２０３が接着された帯シート２０２の収納性及び可搬性を高めることができる。
【００９２】
＜３．第３の実施形態＞
上述の本発明の第１の実施形態では、帯シート１０２の長手方向と太陽電池パネル１０３の長手方向とが一致するように、帯シート１０２に太陽電池パネル１０３を接着した太陽電池シート１００について説明した。そして上述の本発明の第２の実施形態では、帯シート２０２の長手方向と太陽電池パネル２０３の長手方向とが垂直になるように、帯シート２０２に太陽電池パネル２０３を接着した太陽電池シート２００について説明した。
【００９３】
しかし、帯シートへの太陽電池パネルの接着は係る例に限られない。例えば、本シートへの設置時に太陽電池パネルが本シートの各辺に対して所定の角度を有する網目状となるように、太陽電池パネルを帯シートに接着させることで、太陽電池パネルが接着された本シートが撓みにくくなるという効果がある。
【００９４】
図１８は、本発明の第３の実施形態にかかる太陽電池シート３００の構造を示す説明図である。以下、図１８を用いて本発明の第３の実施形態にかかる太陽電池シート３００の構造について説明する。
【００９５】
図１８に示した太陽電池シート３００は、本シート３０１に太陽電池パネル３０３が網目状に配置されている。このように太陽電池パネル３０３を本シート３０１に配置することで、太陽電池シート３００を支柱等に設置する際に、本シート３０１が撓みにくくなるという効果が得られる。
【００９６】
なお、図１８には図示していないが、上記各実施形態と同様に、太陽電池パネル３０３は帯シートに接着されている。太陽電池パネル３０３の帯シートへの接着形態については後述する。
【００９７】
図１８には、太陽電池パネル３０３が発電した電力をバッテリボックスへ供給するためのリード線３０５を示している。なお、図１８では、説明の便宜上、太陽電池パネル３０３の間に接続されるリード線３０５について実線で図示しているが、上記各実施形態と同様に、リード線３０５は、太陽電池パネル３０３への太陽光の照射を妨げないように、帯シートの背面で固定することが望ましい。
【００９８】
図１９Ａ、図１９Ｂ及び図１９Ｃは、本発明の第３の実施形態にかかる太陽電池シート３００における、太陽電池パネル３０３の帯シート３０２への接着形態を示す説明図である。
【００９９】
図１９Ａに示したように、本発明の第３の実施形態にかかる太陽電池シート３００においては、本シート３０１の上に太陽電池パネル３０３を網目状に配置させるために、帯シート３０２に所定の角度をもって太陽電池パネル３０３を接着させる。帯シート３０２への太陽電池パネル３０３の接着に際しては、太陽電池パネル３０３の本シート３０１への設置、及び太陽電池パネル３０３の収納を考慮し、図１９Ａに示したように所定の間隔を開けることが望ましい。
【０１００】
図１９Ａに示したように、帯シート３０２へ太陽電池パネル３０３を所定の間隔を開けて接着させることで、太陽電池パネル３０３の本シート３０１への設置時には、図１９Ｂに示したように、太陽電池パネル３０３が網目状となるように帯シート３０２を配置することができる。そして、帯シート３０２へ太陽電池パネル３０３を所定の間隔を開けて接着させることで、太陽電池パネル３０３の収納時には、図１９Ｃに示したように、太陽電池パネル３０３の向きを一致させるように帯シート３０２を折り畳み、その後、図１４で説明した方法と同様に、太陽電池パネル３０３を取り付けた帯シート３０２を小さく畳むことができる。
【０１０１】
従って、図１９Ａに示したように、太陽電池パネル３０３を帯シート３０２へ接着させることで、太陽電池シート３００を支柱等に設置する際に、図１８に示したように、本シート３０１が撓みにくくなるように太陽電池パネル３０３を本シート３０１上に配置させることが出来るとともに、収納時には図１９Ｃに示したように太陽電池パネル３０３の向きを一致させることができるので収納性、可搬性を高めることができる。
【０１０２】
＜４．まとめ＞
上述した本発明の各実施形態によれば、複数枚の太陽電池パネルを接着させた帯シートを本シートに接着させることで、屋外で電力が必要で場所において、太陽光の照射による発電が可能な太陽電池シートを構成することができる。本発明の各実施形態にかかる太陽電池シートは、主に、太陽電池パネルを接着した帯シートと、帯シートが接着される本シートとからなる。かかる構造を有することにより、太陽電池シートを屋外で設置する際の利便性が向上する。
【０１０３】
太陽電池パネルの帯シートへの接着に際しては、太陽電池パネルで発電した電力をバッテリボックスへ供給するためのコネクタ及びリード線が、帯シートの表面に露出させないようにする。そのために、例えば帯シートにはコネクタと同程度の大きさのコネクタ孔を開け、コネクタ及びリード線が帯シートの裏面で固定できるようにする。これにより、リード線が太陽電池パネルへの太陽光の照射と妨げとならないようにリード線を帯シートに固定し、太陽電池パネルの発電効率を低下させずに済むことができる。
【０１０４】
そして、太陽電池パネルを接着した帯シートを保管・収納する際には、太陽電池パネルが重なりあうように帯シートを折り重ねる。これにより、限られた空間で効率良く太陽電池パネルが接着された帯シートを収納することができ、また使用する際には折り重ねられた帯シートを広げることで、帯シートをすぐに使用できる状態にすることができる。
【０１０５】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【０１０６】
例えば、上記実施形態では、太陽電池パネル１０３、２０３、３０３は、いずれもその形状が長方形であるとして説明したが、本発明はかかる例に限定されない。例えば、太陽電池パネルの形状は正方形であってもよく、正方形の太陽電池パネルが、上述の帯シート１０２、２０２、３０２に接着されていてもよい。
【０１０７】
また例えば、上記各実施形態では、帯シートを本シートに接着する方式をとっているが、本発明は係る例に限定されない。例えば、帯シートにペグループやスルーホールを設けることで、帯シートを直に地面に固着させる方式をとってもよい。
【産業上の利用可能性】
【０１０８】
本発明は、太陽電池パネルを接着した太陽電池シートに適用可能であり、特に持ち運んで使用することを前提とした、太陽電池パネルを接着した太陽電池シートに適用可能である。
【符号の説明】
【０１０９】
１０    バッテリボックス
１００、２００、３００    太陽電池シート
１０１、２０１、３０１    本シート
１０２、２０２、３０２    帯シート
１０３、２０３、３０３    太陽電池パネル
１０４、２０４    コネクタ
１０５、２０５、３０５    リード線
１０６    第１連結部
１０７    延長ケーブル
１０８    第２連結部
１０９    第３連結部
１１０、２１０    支柱
１１１、２１１    コネクタ孔
１１２    面ファスナー
１１３    スルーホール
１２０    連結ケーブル
【図１】
2011198924.tif 000003
【図２】
2011198924.tif 000004
【図３】
2011198924.tif 000005
【図４Ａ】
2011198924.tif 000006
【図４Ｂ】
2011198924.tif 000007
【図５】
2011198924.tif 000008
【図６】
2011198924.tif 000009
【図７】
2011198924.tif 000010
【図８】
2011198924.tif 000011
【図９】
2011198924.tif 000012
【図１０】
2011198924.tif 000013
【図１１】
2011198924.tif 000014
【図１２】
2011198924.tif 000015
【図１３】
2011198924.tif 000016
【図１４】
2011198924.tif 000017
【図１５】
2011198924.tif 000018
【図１６Ａ】
2011198924.tif 000019
【図１６Ｂ】
2011198924.tif 000020
【図１７】
2011198924.tif 000021
【図１８】
2011198924.tif 000022
【図１９Ａ】
2011198924.tif 000023
【図１９Ｂ】
2011198924.tif 000024
【図１９Ｃ】
2011198924.tif 000025